(57)【要約】ボトル又はジャーのような容器（１）は、物品を収容するための物品チャンバ（９）を有している。この物品チャンバは、外側へと開いている物品用の開口部（７）を有している。この物品用の開口部には、密閉部材（１１）が取外し可能に装着されている。容器は、更に、添加物を収容するための添加物チャンバ（２０）を有している。また、容器は、この添加物チャンバと物品チャンバとを互いに接続している圧力バルブ（２７）を有している。この圧力バルブは、物品チャンバ内の圧力（ｐ１）が、添加物チャンバ内の圧力（ｐ２）よりも高いときに閉成位置を有し、また、物品チャンバ内の圧力（ｐ１）が添加物チャンバ内の圧力よりも低いときに添加物チャンバから物品チャンバ中へと添加物を吐出するための開成位置を有する。物品チャンバ内の圧力は、雰囲気圧力（ｐａｔｍ）よりも高く、また、添加物チャンバ内の圧力は、物品チャンバ内の圧力よりも低く、雰囲気圧力よりも高い。
2009523104.tif 000002
【特許請求の範囲】
【請求項１】
外側へと開いている物品用の開口部（７）を有する、物品を収容するための物品チャンバ（９）と、前記物品用の開口部（７）に取り外し可能に装着されている密閉部材（１１）と、添加物を収容するための添加物チャンバ（２０）とを具備しているボトルのような容器（１）において、
前記添加物チャンバ（２０）と前記物品チャンバ（９）とを互いに接続している圧力バルブ（２７）を具備し、この圧力バルブ（２７）は、物品チャンバ（９）内の圧力（ｐ１）が、添加物チャンバ（２０）内の圧力（ｐ２）よりも高いときに、閉成位置を有し、また、物品チャンバ（９）内の圧力（ｐ１）が、添加物チャンバ（２０）内の圧力（ｐ２）よりも低いときに、添加物を添加物チャンバ（２０）から物品チャンバ（９）中へと吐出するための開成位置を有することと、
前記物品チャンバ（９）内の圧力（ｐ１）は、雰囲気圧力（ｐａｔｍ）よりも高く、また、前記添加物チャンバ（２０）内の圧力（ｐ２）は、物品チャンバ（９）内の圧力（ｐ１）よりも低く、雰囲気圧力（ｐａｔｍ）よりも高いこととを特徴とする容器。
【請求項２】
前記添加物チャンバ（２０）は、容器（１）の外側へと開いているアクセス開口部（１５０）を有し、このアクセス開口部（１５０）は、シールされている請求項１の容器。
【請求項３】
前記アクセス開口部（１５０）には、更なる圧力バルブ（３７）が設けられ、この更なる圧力バルブは、前記添加物チャンバ（２０）内の圧力（ｐ２）が、前記雰囲気圧力（ｐａｔｍ）よりも高いとき、閉成位置を有し、また、添加物チャンバ（２０）の外側からこの圧力バルブ（３７）に与えられる圧力（ｐａ）が、添加物チャンバ（２０）内の圧力（ｐ２）よりも高いとき、添加物を添加物チャンバ（２０）中へと供給するためと添加物チャンバ（２０）を加圧するためとの少なくとも一方のための開成位置を有する請求項２の容器。
【請求項４】
前記アクセス開口部（１５０）には、プラグが設けられている請求項２の容器。
【請求項５】
前記物品チャンバ（９）には、前記雰囲気圧力（ｐａｔｍ）よりも高い圧力（ｐ１）の加圧ガスを含むヘッドスペース（１２）の隙間を残すように、物品が充填されている前記全ての請求項のいずれか１の容器。
【請求項６】
前記添加物チャンバ（２０）は、前記物品チャンバ（９）内の圧力（ｐ１）よりも低く前記雰囲気圧力（ｐａｔｍ）よりも高い圧力（ｐ２）加圧ガスを含むヘッドスペース（２２）の隙間を残すように、添加物が充填されている前記全ての請求項のいずれか１の容器。
【請求項７】
この容器（１）は、基部（２）と、この基部（２）から延びている周壁（３）とを有し、前記物品用の開口部（７）は、前記基部（２）から離れて基部に面した前記周壁（３）の一端部に設けられ、前記添加物チャンバ（２０）は、容器（１）の前記基部（２）に装着されている前記全ての請求項のいずれか１の容器。
【請求項８】
容器（１）の前記基部（２）は、キャビティ（１５）を有し、前記添加物チャンバ（２０）は、外部からこのキャビティ（１５）中に装着される請求項７の容器。
【請求項９】
前記添加物は、液体を含み、前記添加物チャンバ（２０）は、吐出開口部（２１）から延びている吐出チューブ（２４）を有し、この吐出チューブ（２４）は、液体の添加物中に浸される通路開口部（２５）を有している請求項６ないし８のいずれか１の容器。
【請求項１０】
前記添加物チャンバ（２０）は、前記通路開口部（２５）を介して前記吐出チューブ（２４）の内部と連通している内部を規定しているホルダー（２３）を有している請求項９の容器。
【請求項１１】
前記ヘッドスペース（２２）は、前記ホルダー（２３）内のヘッドスペース部分（２２ａ）と、前記吐出チューブ（２４）内のヘッドスペース部分（２２ｂ）とを有し、これら両ヘッドスペース部分（２２ａ，２２ｂ）は、前記液体の添加物と、前記吐出チューブ（２４）の壁部とにより、互いに分離されている請求項１０の容器。
【請求項１２】
前記添加物チャンバ（２０）は、前記物品用の開口部（７）に取り外し可能に装着された前記密閉部材（１１）に取着されている前記全ての請求項のいずれか１の容器。
【請求項１３】
前記アクセス開口部は、前記密閉部材（１１）に設けられている請求項２に従属する請求項１２の容器。
【請求項１４】
前記添加物チャンバ（２０）は、前記圧力バルブ（２７）を収容するための収容開口部（１３０）を有し、この収容開口部（１３０）は、周方向エッジ（１３１）により規定され、また、前記圧力バルブ（２７）は、可撓性の材料からなり、端フランジ（１２０）と、この端フランジ（１２０）から所定の距離離れた所の周方向シールスカート（１２１）とが設けられ、収容開口部（１３０）の前記周方向エッジ（１３１）は、前記端フランジ（１２０）と前記周方向シールスカート（１２１）との間にクランプ留めされている前記全ての請求項のいずれか１の容器。
【請求項１５】
前記キャビティ（１５）は、前記圧力バルブ（２７）を収容するための更なる収容開口部（１４０）を有し、この更なる収容開口部（１４０）は、更なる周方向エッジ（１４１）により規定され、前記添加物チャンバ（２０）の前記収容開口部（１３０）とアライメントされ、また、両収容開口部（１３０，１４０）の周方向エッジ（１３１，１４１）は、前記端フランジ（１２０）と前記シールスカート（１２１）との間にクランプ留めされている請求項８に従属する請求項１４の容器。
【請求項１６】
前記圧力バルブ（２７）は、ダックビルバルブのような一方向バルブである前記全ての請求項のいずれか１の容器。
【請求項１７】
前記添加物は、ビタミンを含んでいる前記全ての請求項のいずれか１の容器。
【請求項１８】
前記添加物は、カゼイン加水分解物のようなたんぱく質とペプチドとの少なくとも一方と、リコピンのようなカロテノイドと、ケルセチンのような抗酸化剤と、風味付けされた濃縮物のような香味料とのうちの少なくとも1つを含んでいる前記全ての請求項のいずれか１の容器。
【請求項１９】
前記物品と添加物との混合の後のこれら物品と添加物とは、製薬の組成物、特に医薬品を含んでいる前記全ての請求項のいずれか１の容器。
【請求項２０】
前記物品と添加物との混合の後のこれら物品と添加物とは、スキンローションのような化粧品の組成物を含んでいる前記全ての請求項のいずれか１の容器。
【請求項２１】
前記添加物は、混合の後に分離する少なくとも２つの液体組成物、例えば、互いに異なる密度と化学的融和性との少なくとも一方を有する組成物を含んでいる前記全ての請求項のいずれか１の容器。
【請求項２２】
前記添加物チャンバは、１種類の添加物の組成物を夫々収容するための少なくとも２つの分離スペース（４１，４２）を有し、各分離スペース（４１，４２）は、圧力バルブ（４７）により前記物品チャンバ（９）に接続され、各圧力バルブ（４７）は、前記物品チャンバ（９）内の圧力（ｐ１）が、前記添加物チャンバ（９）の対応した分離スペース（４１，４２）内の圧力（ｐ２）よりも高いときに、閉成位置を有し、また、物品チャンバ（９）内の圧力（ｐ１）が、添加物チャンバの対応した分離スペース（４１，４２）内の圧力（ｐ２）よりも低いときに、添加物を添加物チャンバの対応した分離スペース（４１，４２）から物品チャンバ（９）中へと吐出するための開成位置を有している前記全ての請求項のいずれか１の容器。
【請求項２３】
前記添加物チャンバ（９）の第１の前記分離スペース（４１）内の圧力（ｐ２）は、添加物チャンバ（９）の第２の前記分離スペース（４２）内の圧力（ｐ２）とは異なる請求項２２の容器。
【請求項２４】
この容器は、前記添加物と物品とが、前記物品チャンバ（９）内でほぼ均一に混合されるように、添加物を物品チャンバ（９）中へと吐出するように配置されている前記全ての請求項のいずれか１の容器。
【請求項２５】
この容器は、すぐに使える状態である前記全ての請求項のいずれか１の容器。
【請求項２６】
前記全ての請求項のいずれか１の容器（１）に使用されるための添加物チャンバ（２０）。
【請求項２７】
製薬の組成物、特に医薬品、又は化粧品の組成物を収容するための請求項１ないし１７のいずれか１の容器の使用。
【請求項２８】
容器（１）を充填するための方法であって、
外側へと開いている物品用の開口部（７）を有する物品を収容するための物品チャンバ（９）を備えたボトルのような容器（１）を与えることと、
添加物チャンバ（２０）内の圧力（ｐ２）が、添加物チャンバ（２０）外の圧力（ｐ１）よりも低いときに、閉成位置を有し、添加物チャンバ内の圧力（ｐ２）が、添加物チャンバ外の圧力（ｐ１）よりも高いときに、開成位置を有する圧力バルブ（２７）を備え、この圧力バルブ（２７）は、前記開成位置で吐出開口部（２１）を規定する、添加物を収容するための添加物チャンバ（２０）を与えることと、
前記開成位置の圧力バルブ（２７）の前記吐出開口部（２１）が、前記物品チャンバ（９）中へと開くように、添加物チャンバ（２０）を物品チャンバ（９）に装着することと、
前記物品チャンバ（９）を液体のような物品で充填することと、
前記物品用の開口部（７）に密閉部材（１１）を取り外し可能に装着することにより、前記物品チャンバを塞ぐことと、
雰囲気圧力（ｐａｔｍ）よりも高い圧力（ｐ１）に前記物品チャンバ（９）を加圧することと、
前記添加物チャンバに添加物を充填することと、
前記物品チャンバ内の圧力（ｐ１）よりも低く、前記雰囲気圧力（ｐａｔｍ）よりも高い圧力（ｐ２）に前記添加物チャンバ（２０）を加圧することとを具備する方法。
【請求項２９】
前記物品チャンバ（９）は、この物品チャンバ（９）に物品が充填されて、前記密閉部材（１１）が、前記物品用の開口部（７）に装着された後に、前記圧力バルブ（２７）に過度の圧力を与えることにより加圧される請求項２８の方法。
【請求項３０】
前記圧力バルブ（２７）への過度の圧力は、前記物品チャンバ（９）が、圧力（ｐ１）に加圧された後に、除去される請求項２９の方法。
【請求項３１】
容器（１）に取着された前記添加物チャンバ（２０）は、容器（１）の外側へと開いているアクセス開口部を有し、前記添加物が、このアクセス開口部を通して前記添加物チャンバ（２０）中に供給されることと、添加物チャンバ（２０）が、圧力（ｐ２）をアクセス開口部に与えることとの少なくとも一方により、雰囲気圧力（ｐａｔｍ）よりも高い圧力（ｐ２）に加圧される請求項２８ないし３０のいずれか１の方法。
【発明の詳細な説明】
【技術分野】
【０００１】
本発明は、外側へと開いている物品用の開口部を有する物品を収容するための物品チャンバと、物品用の開口部に取外し可能に装着されている密閉部材と、添加物を収容するための添加物チャンバとを備えているボトル又はジャーのような容器に関する。
【０００２】
この特許出願では、用語「物品」と「添加物」とが、第１の組成物と第２の組成物とを夫々単に示している。これら２つの組成物、即ち物品と添加物との各々は、１つ以上の成分と要素との少なくとも一方を有することができる。これら物品と添加物とは、２つの異なる組成物を形成している。
【背景技術】
【０００３】
物品と添加物とを混合するための容器が、知られている。例えば、容器の物品チャンバには、水が充填され、添加物チャンバは、飲料の濃縮物を収容している。消費者は、飲むために、最初に、密閉部材を物品用の開口部から外さなければならない。消費者は、添加物チャンバを開けて、飲料の濃縮物を物品用の開口部中に注がなければならない。最後に、消費者は、飲料の濃縮物を水と混ぜるために、容器を振らなければならない。かくして、このようにして混合される飲料の準備は、かなり厄介である。
【発明の開示】
【０００４】
本発明の目的は、物品と添加物とのための改良された容器を提供することである。
【０００５】
この目的は、本発明に係わる容器により達成される。この容器は、添加物チャンバと物品チャンバとを互いに接続している圧力バルブを有し、この圧力バルブは、物品チャンバ内の圧力（ｐ１）が、添加物チャンバ内の圧力（ｐ２）よりも高いときに、閉成位置を有し、物品チャンバ内の圧力（ｐ１）が、添加物チャンバ内の圧力（ｐ２）よりも低いときに、添加物を添加物チャンバから物品チャンバ中へと吐出するための開成位置を有し、また、物品チャンバ内の圧力（ｐ１）は、雰囲気圧力（ｐａｔｍ）よりも高く、また、添加物チャンバ内の圧力（ｐ２）は、物品チャンバ内の圧力（ｐ１）よりも低く、雰囲気圧力（ｐａｔｍ）よりも高い。
【０００６】
消費又は使用の前に、前記密閉部材が、物品用の開口部を塞いでいる。このとき、圧力バルブは、物品チャンバ内の圧力（ｐ１）が、添加物チャンバ内の圧力（ｐ２）よりも高いので、閉成されている。この圧力バルブは、添加物チャンバと物品チャンバとの間に排他的な連通を与えている。かくして、添加物チャンバと物品チャンバとは、密閉部材が取着されたままである限り、互いに分離されている。消費、即ち使用を可能にするために、密閉部材は、物品用の開口部から外される。この結果、物品チャンバ内の圧力（ｐ１）が、添加物チャンバ内の圧力（ｐ２）よりも下がる。そして、圧力バルブは、添加物が、この圧力バルブの吐出開口部を通って物品チャンバ中へと流れるように、開成する。かくして、物品と添加物との混合の準備は、本発明に従って簡単なものにされる。
【０００７】
ＧＢ２２８５７９３が、飲料を収容するための第１のチャンバと、第２のチャンバを形成している中空の挿入部とを有する飲料容器を開示していることに、注意すべきである。前記挿入部は、この挿入部の内部と前記第１のチャンバ内の飲料との間の連通を与えるように、ダックビルバルブを有している。
【０００８】
しかし、このような飲料容器は、２つの組成物を消費の時まで分離させておくことができず、このため適していない。結局、前記挿入部は、飲料から挿入部中へのガスの流れを可能にする永久的なオリフィス又は更なるダックビルバルブを有している。かくして、この挿入部と前記第１のチャンバとは、飲料容器が閉じられているとき、互いに連通している。第１のチャンバと挿入部との内部圧力は、ダックビルバルブが、挿入部から飲料中へのガスを可能にするように、均衡状態を保っている。かくして、挿入部の中身は、容器を開ける前に、飲料中へと漏れる。
【０００９】
容器を開けると、容器中の圧力が、雰囲気圧力に急速に通じ、圧力差が、挿入部の中と外との間で生じる。かくして、ガスが、挿入部からダックビルバルブを介して飲料中へと噴射される。このようなガスの噴射により、飲料中に剪断力が生じる。飲料が容器から飲み物のグラス中に注がれるように、剪断力が、ドラフト(draught)から飲料を分配する様相を与える。
【００１０】
知られた前記挿入部は、また、容器をシールする前に、予め加圧されることができる。このような場合、挿入部は、最初に、第１のチャンバの過圧に等しい又はこれをわずかに超える圧力へとガスにより加圧される。わずかな圧力差がある場合、ガスは、挿入部内の圧力が、第１のチャンバを閉じた後のシールされた第１のチャンバ内の圧力に等しくなるまで、ガスが、挿入部からダックビルバルブを通って第１のチャンバ中へと流れる。これにより、所望の剪断力が生じるが、ガスが、容器を開ける前に挿入部から飲料中へと漏れてしまう。
【００１１】
本発明に係われば、添加物チャンバの中と外との間の負の圧力差は、容器を開ける前にすでに存在し、即ち、添加物チャンバ内の圧力は、物品チャンバ内の圧力よりも低い。従って、ダックビルバルブは、物品チャンバと添加物チャンバとの内容物が、容器を開けるまで、確実に分離されたままであることを確実にしている。
【００１２】
本発明に係わる飲料容器は、消費のときまで、２つの組成物を分離したままにするが、開けたときに吐出される添加物は、飲料中に剪断力を生じさせる。これは、本発明の視覚的な効果でもある。
【００１３】
本発明に従えば、物品チャンバ内の圧力（ｐ１）が、雰囲気圧力（ｐａｔｍ）よりも高く、また、添加物チャンバ内の圧力（ｐ２）が、物品チャンバ内の圧力（ｐ１）よりも低く、雰囲気圧力（ｐａｔｍ）よりも高いことが、好ましい。
【００１４】
密閉部材は、物品用の開口部に装着されている間、物品チャンバを塞いでいる。そして、物品チャンバ内の圧力（ｐ１）が、雰囲気圧力（ｐａｔｍ）よりも高いので、環境に対する過度の圧力が、物品チャンバ内に広がっている。また、添加物チャンバは、添加物チャンバ内の圧力（ｐ２）が、雰囲気圧力（ｐａｔｍ）よりも高いので、環境に対する過度の圧力を有している。しかし、添加物チャンバ内の過度の圧力は、物品チャンバ内の過度の圧力よりも小さい。即ち、添加物チャンバ内の圧力（ｐ２）は、物品チャンバ内の圧力（ｐ１）よりも低い。かくして、物品チャンバは、密閉部材が物品用の開口部から外されるとすぐに、減圧される、即ち、物品チャンバ内の圧力（ｐ１）が低下する。この結果、添加物チャンバが、圧力バルブを介して物品チャンバへと圧力を下げる。かくして、添加物が、物品チャンバ中へと押し出される。
【００１５】
一実施形態では、前記添加物チャンバは、容器の外側に開いているアクセス開口部を有し、このアクセス開口部は、シールされている。このアクセス開口部は、添加物を添加物チャンバ中に供給することと、添加物チャンバを加圧することとの少なくとも一方に適している。このアクセス開口部は、添加物チャンバがボトルに取着された後の、添加物チャンバの外側から内側へのアクセスを与えることができる。かくして、物品チャンバが充填並びにシールされ、添加物チャンバが物品チャンバ内に装着された後に、添加物チャンバを充填並びに加圧することが可能である。前記挿入部は、すでに充填並びにシールされた容器の外側から装填されることができる。また、前記アクセス開口部は、物品チャンバが充填並びにシールされた後に、添加物チャンバと圧力バルブとを介して物品チャンバを加圧することを可能にしている。従って、アクセス開口部は、容器の（大量）生産に効果的である。例えば、生産コストを比較的低く抑えたまま、圧力ｐ１並びに圧力ｐ２が、正確に制御されることができる。添加物チャンバを装填した後に、アクセス開口部が、シールされる。
【００１６】
このアクセス開口部には、更なる圧力バルブが設けられることが可能である。この更なる圧力バルブは、添加物チャンバ内の圧力（ｐ２）が、雰囲気圧力（ｐａｔｍ）よりも高いときに、閉成位置を有し、また、添加物チャンバの外側から圧力バルブに与えられる圧力（ｐａ）が、添加物チャンバ内の圧力（ｐ２）よりも高いときに、添加物チャンバを加圧するためと添加物を添加物チャンバ中へと供給するためとの少なくとも一方のための供給開口部を規定する開成位置を有する。これにより、添加物チャンバは、すでに充填された物品チャンバへ取着されているとき、容易に充填並びに加圧されることができる。
【００１７】
代わって、前記アクセス開口部には、プラグ又は他のシール部材が設けられている。このようなアクセス開口部を有する添加物チャンバには、添加物チャンバ内に望まれる圧力を有する加圧環境で添加物が充填されることができる。従って、プラグが、アクセス開口部に取着されて、添加物チャンバを塞いでいる。前記圧力ｐ２は、このようにして正確に制御されることができる。
【００１８】
本発明に係われば、物品チャンバには、雰囲気圧力（ｐａｔｍ）よりも高い圧力（ｐ１）の加圧ガスを含むヘッドスペースの隙間を残すように、物品が充填されることができる。物品チャンバの充填中、ヘッドスペースには、隙間が残される。この後に、ヘッドスペースのガスは、物品チャンバに過度の圧力を与えるように、加圧される。
【００１９】
同時に、本発明に係われば、添加物チャンバには、物品チャンバ内の圧力（ｐ１）よりも低く雰囲気圧力（ｐａｔｍ）よりも高い圧力（ｐ２）の加圧ガスを含むヘッドスペースの隙間を残すように、添加物が充填されることが、可能である。かくして、添加物チャンバ内の過度の圧力が、効果的に実現される。
【００２０】
本発明に係わる容器は、様々な方法で構成されることができる。例えば、容器は、基部と、この基部から延びる周壁とを有している。基部から離れて基部に面している周壁の一端部には、物品用の開口部が設けられている。また、容器の基部には、添加物チャンバが装着されている。このため、添加物が物品チャンバ内で圧力駆動されたとき、人目を引く視覚効果がもたらされる。
【００２１】
この容器の基部は、キャビティを有することができ、このキャビティ中に、前記添加物チャンバが、外部から装着される。この結果、添加物チャンバは、物品チャンバが充填された後に、取着されることができる。
【００２２】
本発明に係われば、添加物は、液体を含み、前記添加物チャンバは、液体添加物中に浸された流入開口部を有し吐出開口部から延びている吐出チューブを備えることが可能である。
【００２３】
消費者が、物品用の開口部から密閉部材を外すとき、消費者は、本発明に係わる容器を開成位置に保持する。容器のこの位置で、前記吐出チューブの通路開口部、即ち流入開口部は、液体添加物中に浸され、即ち、吐出チューブには、液体添加物が少なくとも部分的に充填されている。言い換えれば、添加物チャンバには、液体添加物のレベルが、吐出チューブの通路開口部の上方に達するまで、液体添加物が充填される。この液体は、非圧縮性であり、一方、ヘッドスペース内のガスは、ばねとして作用する。液体レベル上方の加圧されたヘッドスペースが、通路開口部を通して添加物を吐出チューブ中へと駆動させることができ、この結果、液体添加物が、圧力バルブの吐出開口部を介して物品チャンバ中に吐出される。
【００２４】
本発明の特定の実施形態では、添加物チャンバは、通路開口部を介して吐出チューブの内部と連通した内部を規定しているホルダーを有することができる。通路開口部は、ホルダーの内部と、吐出チューブの内部との間の排他的な連通を与えている。かくして、ホルダーは、通路開口部を介して吐出チューブの内部から分離された内部を囲んでいる。
【００２５】
この容器が、開成位置、通常は直立位置に保持されているとき、前記ヘッドスペースは、ホルダー内のヘッドスペース部分と、吐出チューブ内のヘッドスペース部分とを有している。これらヘッドスペース部分は、液体添加物と吐出チューブの壁部とにより、互いに分離されている。言い換えれば、液体添加物のレベル上方の加圧されたヘッドスペースは、２つの部分を有している。第１の部分は、ホルダー内、即ち吐出チューブ外に位置され、また、第２の部分は、吐出チューブ内に広がっている。
【００２６】
かくして、ホルダー内のヘッドスペース部分は、吐出チューブ内のヘッドスペース部分の加圧ガスから液体添加物により分離された加圧ガスを有している。従って、ホルダー内のヘッドスペース部分の加圧ガスは、ホルダーの前で液体添加物を押すことにより、吐出チューブの流入開口部と、吐出チューブ自体と、圧力バルブの吐出開口部とを通ってのみ逃れることができる。これは、密閉部材が外された後に、ホルダー内の加圧ガスが添加物チャンバから添加物を押し出すことを意味している。
【００２７】
別の実施形態では、添加物チャンバは、物品用の開口部に取り外し可能に装着された密閉部材に取着されている。この密閉部材中には、アクセス開口部が設けられることができる。容器が、ガラスからなる瓶、例えばビール瓶を含むとき、添加物チャンバをこのような瓶に取着することは困難であり、不可能でさえある。添加物チャンバが、密閉部材、例えば王冠状のキャップ部材に取着されている場合、本発明に係わる容器は、ガラス又はＰＥＴのような材料からなるボトルを含むことができる。
【００２８】
前記添加物チャンバと物品チャンバとの間の圧力バルブは、様々な方法で装着並びにシールされることができる。例えば、添加物チャンバは、圧力バルブを収容するための収容開口部を有している。この収容開口部は、外周エッジにより規定されている。圧力バルブは、可撓性の材料からなり、端フランジと、この端フランジから所定の距離離れた所の周方向シールスカートとが設けられている。収容開口部の前記外周エッジは、これら端フランジとシールスカートとの間にクランプ留めされている。
【００２９】
前記可撓性の圧力バルブのシールスカートは、物品チャンバ内の圧力の影響を受けて変形する。この結果、液体密シールが、添加物チャンバの収容開口部と圧力バルブとの間に形成される。かくして、物品チャンバからの流体が、圧力バルブと収容開口部との間に漏れることはない。
【００３０】
前記キャビティは、圧力バルブを収容するための更なる収容開口部を有し、この更なる収容開口部は、添加物チャンバの周方向エッジとアライメントされた更なる周方向エッジにより規定され、両収容開口部の周方向エッジは、前記端フランジとシールスカートとの間にクランプ留めされることが可能である。かくして、添加物チャンバとキャビティとの両方は、圧力バルブ用の収容開口部を夫々有している。これら収容開口部は、互いにアライメントされている。これら収容開口部のエッジは、圧力バルブの端フランジとシールスカートとの間にクランプ留めされている。添加物チャンバが、基体壁部のキャビティ中に装着されているとき、この基体壁部全体に渡って物品チャンバ内の圧力が作用する表面積は、かなり減じられる。この結果、容器の外側から添加物チャンバを押すように添加物チャンバに与えられる力は、比較的小さい。
【００３１】
本発明に係われば、前記圧力バルブは、一方向バルブ、即ち逆止めバルブであることが好ましい。この結果、添加物チャンバの前記吐出開口部は、出口のみであり、添加物チャンバ中への物品の漏れは、遮断される。
【００３２】
例えば、前記一方向バルブは、ダックビルバルブである。ダックビルバルブは、確かな専門技術を使用してプラスチックで効果的にモールド成形されることができる。このダックビルバルブは、一体成形部材であることができ、生産時、例えば加圧空気の使用時に、吐出開口部を押し広げることが、容易である。
【００３３】
多くの場合、ダックビルバルブは、互いに移動することができる２つのくちばし状突出部分を有するくちばし状の突出体を有している。これらくちばし状突出部分は、閉成位置で互いに当接し、開成位置でスリットを規定する。これらくちばし状突出部分は、外面と内面とを有している。これらくちばし状の部分は、外面に与えられる圧力の影響を受けて開成位置でスリットを開成するように、互いに離される。このダックビルバルブが、物品チャンバと添加物チャンバとの間の圧力バルブを形成しているとき、外面の各々は、物品チャンバに面し、また、内面の各々は、添加物チャンバに面している。
【００３４】
本発明に係われば、添加物チャンバは、更なる圧力バルブを有することができる。この更なる圧力バルブは、添加物チャンバ内の圧力（ｐ２）が雰囲気圧力（ｐａｔｍ）よりも高いときに閉成位置を有し、また、添加物チャンバの外側から圧力バルブに与えられる圧力（ｐａ）が、添加物チャンバ内の圧力（ｐ２）よりも高いときに、添加物を物品チャンバ中に供給するための供給開口部を規定する開成位置を有している。
【００３５】
添加物チャンバの充填の前に、この添加物チャンバ内の圧力は、低い、即ち雰囲気圧力ｐａｔｍ以下であることが好ましい。添加物チャンバの充填中に、圧力バルブに与えられる圧力ｐａは、添加物チャンバ内に広がる圧力よりもわずかに高く維持される。これは、添加物チャンバに、所望量の添加物が充填されることができ、物品チャンバへの漏れの危険性を低減又はなくすことを確実にしている。また、充填中に圧力バルブに与えられる圧力は、物品チャンバ内の圧力よりも小さく、従って、添加物チャンバと物品チャンバとの間の圧力バルブは、閉じられたままである。添加物チャンバは、充填中に、物品チャンバから分離されたままである。添加物チャンバを充填した後、前記更なる圧力バルブへの圧力は、開放される。そして、添加物チャンバ内の圧力は、雰囲気圧力よりも高く、更なる圧力バルブを閉成位置へと押しやる。この更なる圧力バルブは、添加物チャンバから環境への添加物の漏れを防止する。
【００３６】
本発明に係わる容器は、様々な適用例を有することができるが、本発明に係わる容器は、飲料を収容するのに特に適している。飲料の適用例の場合、本発明に係わる容器内の添加物は、ビタミンを含むことができる。ビタミンを含む物品は、通常腐敗し易い。これは、液体物品と接触したビタミンが、例えば酸化により、長い時間安定しないためである。本発明に係われば、添加物チャンバ内のビタミンは、最適な状態に維持される。消費者が、密閉部材を外した後、ビタミンは、物品チャンバ中に吐出され、ビタミンは、最高の機能性で消費される。かくして、「フレッシュ」な追加のビタミンを含む飲料を準備することは、非常に簡単である。
【００３７】
例えば、ビタミンＣが、水性並びにアルコール性の液体で品質が低下することは知られている。即ち、水性とアルコール性との少なくとも一方の飲料が添加のビタミンＣを含んだままであることは、難しい。本発明に係われば、水性とアルコール性との少なくとも一方の物品と、ビタミンＣの添加物とは、容器内で別々に収容されることができ、これら物品と添加物とは、容器を開けることにより、消費される直前に混合される。
【００３８】
本発明に係われば、添加物は、カゼイン加水分解物のようなたんぱく質とペプチドとの少なくとも一方と、リコピンのようなカロテノイドと、ケルセチンのような抗酸化剤と、風味付けされた濃縮物又はフレーバーエキスのような香味料とのうちの少なくとも1つを含むことが可能である。
【００３９】
たんぱく質並びにペプチドは、幾つかの機能を有している。例えば、様々なたんぱく質並びにペプチドは、「筋肉形成(muscle refueling)」を助ける。しかし、これら複合物は、アルコール中で品質が低下する。この結果、これら複合物は、苦味と機能の低下との少なくとも一方をもたらし得る。本発明に係わる容器では、アルコール性のスポーツドリンクを生成することが可能である。ビールのようなアルコール物品が、物品チャンバ内に充填され、一方、添加物チャンバが、カゼイン加水分解物又は他のたんぱく質とペプチドとの少なくとも一方を収容する。このような「スポーツビール(sports beer)」は、本発明に係われば、特に効果的である。
【００４０】
たんぱく質並びにペプチドは、また、酸性の液体、即ちｐＨ＜７を有する液体で品質が低下する。コーラのような多くのソフトドリンクは、酸性である。本発明に係わる容器は、また、物品チャンバ内の酸性のソフトドリンクと、添加物チャンバ内のたんぱく質並びにペプチドの少なくとも一方とを組合せて、「スポーツソフトドリンク」を生成することを可能にする。この組み合わせも、また、本発明に係われば効果的である。
【００４１】
リコピンのようなカロテノイドは、消費者への印象を浴している。ｐＨ値に従えば、カロテノイドは、飲料のカラー全体に影響を与える。また、ケルセチンのような抗酸化剤は、同様に様々な機能を有している。例えば、抗酸化剤は、おりの形成を低減すると信じられている。従って、これら添加物は、また、本発明に係わる容器の添加物チャンバ内に受け入れられることが、特に好ましい。本発明は、これら添加物を物品から分離させたままにすることのできない知られた容器に反して、これら添加物を、水、ビール、牛乳、又は他の物品と組み合わせることが可能である。
【００４２】
風味付けされた濃縮物のような香味料の一例として、物品チャンバ内の物品は、静水又は炭酸水であり、一方、添加物チャンバには、液体シロップが充填される。１つの梱包会社が、本発明に係わる容器の物品チャンバを充填することができ、一方、他の会社は、香味材料で添加物チャンバを充填して、添加物チャンバを容器に装着することができる。かくして、炭酸が入っていない又は炭酸が入っている物品の一連のフレーバーを供給することが可能である。添加物チャンバを取着する会社は、また、様々な風味付けされた飲料又は健康飲料を店頭で販売するケータリング産業であり得る。
【００４３】
リコピンのような多くのカロテノイド、ケルセチンのような抗酸化剤、並びに、香味料が、光の影響を受けて品質が低下することが知られている。この場合、本発明に係わる容器の添加物チャンバは、透明でない、即ち不透明であり、一方、物品チャンバは、透明であり得る。
【００４４】
本発明に係わる容器は、また、医療の適用例にも適している。この場合、本発明に係われば、混合された後の物品と添加物とは、製薬の組成物、特に医薬品を含むことが可能である。医薬品の組成物は、互いに異なる成分との混合を使用時に必要とし得る。本発明に係わる容器は、これら異なる成分の正確な調合を与え、調合が自動であるために、人的なミスがなくされる。更に、夫々異なる成分の混合は、十分に衛生的である。
【００４５】
本発明に係わる容器は、また、化粧品の適用例にも適切である。本発明に係わる容器は、混合した後にスキンローションのような化粧品の組成物を有する物品と添加物とを収容することができる。化粧品産業は、使用時における２つ以上の成分の混合に頼るローション並びにスキンシステム、例えば対を成したパックのシステム用のパッケージを開発している。しかし、このようなパッケージは、比較的費用がかかり、自動の混合を提供しない。本発明に係わる容器は、このような化粧品物品のパッケージング用の安価な変形例を与える。
【００４６】
添加物は、２つ以上の組成物を含むことが望ましい。本発明の好ましい実施形態では、添加物は、混合した後に分離する少なくとも２つの液体組成物、例えば夫々異なる密度と不融和性との少なくとも一方の化学特性を有する組成物を含んでいる。夫々異なる密度と化学的な不融和性との少なくとも一方のために、これら２つの液体成分は、添加物チャンバ内で互いに浮き上がってしまう。物品チャンバを減圧した後、添加物チャンバは、液体成分を連続的に吐出する。液体成分が、異なる色を有している場合、消費者は、物品チャンバ中に流れる互いに異なる色の複数のジェットを見るだろう。
【００４７】
複数の組成物を含む単一の添加物チャンバを備えた本発明に係わる容器は、組成物が、品質を低下させることなく一緒に維持され得るときにのみ、有用である。添加物が、互いの存在により質が低下する複数の組成物を含む場合、本発明の別の実施形態を適用することが、効果的である。互いに異なる添加物成分を物品チャンバへと供給するための別の実施形態では、添加物チャンバが、１種類の添加物組成物を夫々収容するための少なくとも２つの分離スペースを有している。各分離スペースは、いずれの場合も、圧力バルブにより物品チャンバに接続されている。各圧力バルブは、物品チャンバ内の圧力（ｐ１）が、添加物チャンバの対応した分離スペース内の圧力（ｐ２）よりも高いときに、閉成位置を有し、また、物品チャンバ内の圧力（ｐ１）が、添加物チャンバの対応した分離スペース内の圧力（ｐ２）よりも低いとき、添加物チャンバの対応した分離スペースから物品チャンバ中に添加物を吐出するための開成位置を有している。この実施形態では、添加物チャンバの各スペースは、異なる添加物成分に割り当てられている。
【００４８】
この場合には、添加物チャンバの第１の分離スペース内の圧力（ｐ２）が、添加物チャンバの第２の分離スペース内の圧力（ｐ２）と異なることが可能である。そして、これら分離スペースからの添加物は、物品チャンバ中に連続的に吐出される。
【００４９】
本発明は、また、上述されたような容器と共に使用される添加物チャンバに関する。本発明は、更に、製薬の組成物、特に医薬品、又は、化粧品の組成物を収容するための上述されたような容器の使用に関する。
【００５０】
更に、本発明は、容器を充填するための方法に関する。この方法は、
−外側へと開いている物品用の開口部を有する物品を収容するための物品チャンバを備えたボトルのような容器を与えることと、
−添加物チャンバ内の圧力（ｐ２）が、添加物チャンバ外の圧力（ｐ１）よりも低いときに、閉成位置を有し、添加物チャンバ内の圧力（ｐ２）が、添加物チャンバ外の圧力（ｐ１）よりも高いときに、開成位置を有する圧力バルブを備え、この圧力バルブは、前記開成位置で吐出開口部を規定する、添加物を収容するための添加物チャンバを与えることと、
−前記開成位置の圧力バルブの前記吐出開口部が、前記物品チャンバ中へと開くように、添加物チャンバを物品チャンバに装着することと、
−前記物品チャンバを液体のような物品で充填することと、
−前記物品用の開口部に密閉部材を取り外し可能に装着することにより、前記物品チャンバを塞ぐことと、
−雰囲気圧力（ｐａｔｍ）よりも高い圧力（ｐ１）に前記物品チャンバを加圧することと、
−前記添加物チャンバに添加物を充填することと、
−前記物品チャンバ内の圧力（ｐ１）よりも低く、前記雰囲気圧力（ｐａｔｍ）よりも高い圧力（ｐ２）に前記添加物チャンバ（２０）を加圧することとを有している。
【００５１】
例えば、前記物品チャンバは、物品チャンバが物品で充填されて、密閉部材が物品用の開口部に装着された後に、圧力バルブに過度の圧力を与えることにより、加圧されることが可能である。圧力バルブへの過度の圧力は、物品チャンバが圧力（ｐ１）に加圧された後に、除去されることができる。
【００５２】
本発明に係わる方法の一実施形態では、容器に装着された添加物チャンバは、容器の外側へと開いているアクセス開口部を有している。添加物が、このアクセス開口部を通して添加物チャンバ中へと供給されることと、添加物チャンバが、アクセス開口部に圧力（ｐ２）を与えることにより雰囲気圧力（ｐａｔｍ）よりも高い圧力（ｐ２）に加圧されることとの少なくとも一方が、果たされる。
【発明を実施するための最良の形態】
【００５３】
本発明は、図に示されている例示的な実施形態を参照して、より詳細に説明される。
【００５４】
本発明に係わる容器は、全体が１で示されている。この容器１は、基部２と、この基部２から延びている周壁３とを有している。この容器１の基部２は、キャビティ１５を有している。図１ないし５に示されている容器１は、ボトルであるため、前記周壁３は、基部２近くの本体壁部５と、この本体壁部５に接続されたネック壁部６とを有している。基部２と周壁３とは、物品を収容するための物品チャンバ９を規定している。例えば、この物品は、静水又は炭酸水のような液体である。
【００５５】
キャビティ１５が形成された前記基部２と、周壁３とは、一体成形部材に組み込まれることができる。このような一体成形部材は、インジェクションブロー成形を使用して、ＰＥＴで形成されることができる。必要に応じて、ＰＥＴは、酸素バリアを与えるための多層である。明らかに、この一体成形部材が、他の材料からなることも可能である。
【００５６】
この容器１は、基部２から離れて基部に面した周壁３の端部に、即ち周壁３のネック壁部の端部に、物品用の開口部７を有している。この物品用の開口部７は、外側へと開いている。密閉部材１１、例えば王冠状のキャップ又はねじキャップが、物品用の開口部７に取り外し可能に装着されている。
【００５７】
前記物品チャンバ９内の物品の体積は、物品チャンバ９自体の容積よりも小さい。容器１が直立位置を有するとき、物品レベルは、物品用の開口部７よりも下に位置されている。かくして、ヘッドスペース１２には、隙間が、物品レベルと物品用の開口部７との間で維持されている。このヘッドスペース１２は、加圧ガスを含んでいる。この結果、物品チャンバ９内の圧力Ｐ１は、雰囲気圧力Ｐａｔｍよりも高い。
【００５８】
この容器１は、添加物を収容するための添加物チャンバ２０を有している。添加物は、いずれの組成物であることができるが、この例示的な実施形態での組成物は、液体シロップである。前記添加物チャンバ２０は、例えばスナップ装着機構（図示されず）を使用して、前記基部２のキャビティ１５中に装着されている。もちろん、この添加物チャンバ２０は、別の形態で物品チャンバ９に固定されても良い。この添加物チャンバ２０は、図３ないし５に最も明瞭に示されている。
【００５９】
この添加物チャンバ２０は、断面が環状である内部を有したホルダー２３を備えている。このホルダー２３は、底壁２３ａと、この底壁２３ａから延びている周壁２３ｂとを有している。上壁２９が、このホルダー２３を閉じている。この添加物チャンバ２０には、ホルダー２３内で中央に配置された吐出チューブ、即ち浸漬チューブ２４が設けられている。この吐出チューブ２４は、通路開口部２５（図３を見よ）を有し、この通路開口部を通して、吐出チューブ２４の内部とホルダー２３の内部とが、互いに連通している。図１に示されているように、吐出チューブ２４の通路開口部２５は、液体添加物中に浸されている。即ち、吐出チューブ２４は、液体添加物のレベルが、吐出チューブ２４の通路開口部２５の上方に達するように、液体添加物中に浸されている。
【００６０】
前記添加物チャンバは、圧力バルブ２７を有している。この圧力バルブ２７は、前記吐出チューブ２４の上部に設けられている（図３を見よ）。この圧力バルブ２７は、一方向バルブ、即ち逆止めバルブを形成している。この圧力バルブ２７は、傘形状のバルブ、即ちフラップバルブのようなシール装置であり得るが、この例示的な実施形態に係わる一方向の圧力バルブ２７は、ダックビルバルブ(duckbill valve)である。ダックビルバルブは、信頼性のある逆流防止機能を与える正確にモールド成形された単一のエラストマーのバルブを形成しているので、本発明に係わる容器１に特に適している。
【００６１】
また、このダックビルバルブ２７は、図６ａないし６ｃに夫々詳細に示されている。このダックビルバルブ２７は、圧力差の影響を受けて曲がることのできる２つのくちばし状突出部分、即ちフラップ２７ａ，２７ｂを有している。ダックビルバルブは、負の圧力差により逆流を防止している。即ち、物品チャンバ９内の圧力ｐ１が、吐出チューブ２４内の圧力ｐ２よりも高い場合、バルブ２７のフラップ２７ａ，２７ｂは、閉成したままである。かくして、圧力バルブ２７は、添加物チャンバ２０内の圧力ｐ２が、添加物チャンバ２０外、即ち物品チャンバ９内の圧力ｐ１よりも低いときに、閉成位置を有する。
【００６２】
過度の圧力が、バルブのフラップ２７ａ，２７ｂの内面に与えられた場合、溝部、即ちスリット２１が、バルブのこれらフラップ２７ａ，２７ｂ間に形成される。この溝部は、物品チャンバ９中へと開いた吐出開口部２１を形成する。ダックビルバルブ２７は、正の圧力差により、即ち、吐出チューブ２４内の圧力ｐ２が物品チャンバ９内の圧力ｐ１よりも高いときに、自由な流れを可能にする。言い換えれば、圧力バルブ２７は、添加物チャンバ２０内の圧力ｐ２が、添加物チャンバ外、即ち物品チャンバ９内の圧力ｐ１よりも高いときに、添加物を添加物チャンバ２０から吐出するための開成位置を有する。
【００６３】
図７に最も明瞭に示されているように、前記添加物チャンバ２０は、圧力バルブ２７を収容するための収容開口部１３０を有している。この収容開口部１３０は、周方向エッジ１３１により規定されている。前記キャビティ１５は、圧力バルブ２７を収容するための更なる収容開口部１４０を有している。この収容開口部１４０は、添加物チャンバ２０の周方向エッジ１３１とアライメントされたキャビティ１５の周方向エッジ１４１により規定されている。
【００６４】
前記圧力バルブ２７は、可撓性の材料で形成されている。この圧力バルブには、端フランジ１２０と、この端フランジ１２０から所定の距離離れた所の周方向シールスカート１２１とが設けられている。これら端フランジ１２０とシールスカート１２１との間には、収容溝部１２３がある。収容開口部１３０，１４０の周方向エッジ１３１，１４１は、収容溝部１２３中に、即ち端フランジ１２０とシールスカート１２１との間にクランプ留めされている。この結果、可撓性の圧力バルブ２７は、変形し得るかもしれない。かくして、液密シールが、形成される。
【００６５】
図３に最も明瞭に示されているように、前記添加物チャンバ２０は、容器１の外側に開いているアクセス開口部１５０を有している。このアクセス開口部１５０は、前記底壁２３ａ中に延びている。この例示的な実施形態では、アクセス開口部１５０には、更なる圧力バルブ３７が設けられている。しかし、このアクセス開口部１５０には、プラグ又は他のシール手段が設けられても良い。
【００６６】
前記添加物チャンバ２０は、更に、添加物を供給するための供給開口部３０を有している。この供給開口部３０は、一方向バルブである前記更なる圧力バルブ３７中に形成されている。この例示的な実施形態では、圧力バルブ３７は、前記圧力バルブ２７に類似したダックビルバルブを形成しており、これら圧力バルブ２７，３７の機能並びに動作は、互いに対応している。適用例に応じて、圧力バルブ３７は、異なるように構成されることができる。
【００６７】
かくして、前記圧力バルブ３７は、添加物チャンバ２０内の圧力ｐ２が、雰囲気圧力ｐａｔｍよりも高いときに、閉成位置を有し、添加物チャンバ２０の外側から圧力バルブ３７に与えられる圧力ｐａが、添加物チャンバ２０内の圧力ｐ２よりも高いときに、添加物を添加物チャンバ２０中に供給するためと添加物チャンバ２０を加圧するためとの少なくとも一方のための開成位置を有している。
【００６８】
この容器１の基部２のところで、前記圧力バルブ３７には、不正開封防止部材３８が装着されている。この不正開封防止部材３８は、粘着性の不正開封防止カバーとして、図３に概略的に示されている。しかし、この不正開封防止カバー３８は、溶接プラグのような異なる形態で構成されることができる。
【００６９】
前記添加物チャンバ２０へと供給される添加物の体積は、添加物チャンバ２０の容積よりも小さい。容器１が直立位置を有しているとき、前記ホルダー２３中の添加物レベルは、上壁２９よりも下に位置されている。この例示的な実施形態では、吐出チューブ２４中の添加物レベルが、ホルダー２３中の添加物レベルに等しいことに注意すべきである（図１を見よ）。かくして、ヘッドスペース２２が、添加物チャンバ２０内で隙間を維持している。
【００７０】
このヘッドスペース２２は、ホルダー２３内の添加物レベルと上壁２９との間のヘッドスペース部分２２ａと、吐出チューブ２４内のヘッドスペース部分２２ｂとを有している。これらヘッドスペース２２ａ，２２ｂは、加圧ガスを含んでいる。この結果、添加物チャンバ２０内の圧力ｐ２は、雰囲気圧力ｐａｔｍよりも高い。しかし、添加物チャンバ２０内の過度の圧力は、物品チャンバ９内の過度の圧力を超えていない。かくして、添加物チャンバ２０内の圧力ｐ２は、物品チャンバ９内の圧力ｐ１よりも低い。この添加物チャンバ２０には、知られた瓶詰め技術を使用して、所望の圧力ｐ２を受けて添加物が充填されることができる。この充填の圧力ｐａは、物品チャンバ９内の圧力ｐ１よりも低い。
【００７１】
本発明に係わる容器１の使用は、以下の通りである。消費される時間まで、密閉部材１１が、物品用の開口部７を塞いでおり、従って、圧力バルブ２７は、閉成位置を有している。物品と添加物とは、容器１内で互いに分離されたままである。かくして、物品と添加物とは、他方の影響を受けて品質が低下することはない。飲料を消費するために、消費者は、容器１を開ける、即ち、密閉部材１１を物品用の開口部７から外す（図２を見よ）。物品チャンバ９内の圧力ｐ１が、添加物チャンバ２０内の圧力ｐ２より低くなり、圧力バルブ２７が開成する。
【００７２】
従って、吐出チューブ２４内の加圧されたヘッドスペース部分２２ｂが、物品のスペース９に連通する。また、ホルダー２３のヘッドスペース部分２２ａの加圧ガスは、圧力バルブ２７の吐出開口部２１に向けて流れる。この圧力ガスは、通路開口部２５を通して添加物を吐出チューブ２４内上方に押し流す。結局、ホルダー２３のヘッドスペース２２ａ内の加圧ガスは、液体添加物により、吐出チューブ２４のヘッドスペース２２ｂ内の圧力ガスから分離される。かくして、液体添加物は、圧力バルブ２７の吐出開口部２１を通して物品チャンバ９中に吐出される。添加物は、本発明に係わる容器１が圧力により動作されるので、容器１を開けることにより、物品中に簡単に放出される。これは、使用者にとって使い勝手が良い。
【００７３】
本発明に係わる容器１が様々な方法で製造され得ることに、注意すべきである。添加物チャンバ２０は、物品チャンバ９が物品で充填され加圧された後すぐに、キャビティ１５内に装着されるかもしれない。この場合、物品チャンバ９を充填して加圧する間、容器１の基部の収容開口部１４０は、例えば圧力バルブ２７でシールされている。添加物チャンバ２０を物品チャンバ９に装着した後、この圧力バルブ２７は、添加物チャンバ２０の収容開口部１３０をシールする。
【００７４】
本発明に係わる容器を提供するための方法の１つが、一例として説明される。
【００７５】
最初に、物品チャンバ９と添加物チャンバ２０とが、組み合わされる。圧力バルブ２７が、物品チャンバと添加物チャンバとの間の連通を可能にする。この場合、物品チャンバ９は、この物品チャンバの基部２にキャビティ１５を有するボトルを形成し、添加物チャンバ２０が、このキャビティ１５中に受け入れられる。そして、物品チャンバ９には、物品用の開口部７を通して物品が充填され、密閉部材１１が、物品チャンバ９を塞ぐように装着される。物品の質量が、圧力バルブ２７を閉成する。物品が、炭酸ガスで飽和される場合、ＣＯ２が、また、圧力バルブ２７をこれの閉成位置に保持するのに貢献する。
【００７６】
この後、過度の圧力が、物品チャンバ９が所望の圧力ｐ１であるまで開成する圧力バルブ２７に与えられる。過度の圧力がこのようにして形成されたとき、物品チャンバ９内の圧力ｐ１は、正確に制御されることができる。次に、圧力ｐ１が、圧力バルブ２７から除去され、即ち閉成される。
【００７７】
このとき、添加物が、添加物チャンバ２０中へと導入される。更なる圧力バルブ３７は、初めからすでに取着されても良いが、破損する危険性を最小限に抑えるために、このとき装着されることが好ましい。この後に、添加物チャンバ２０が、更なる圧力バルブ３７を通して所望の過度の圧力ｐ２に加圧される。添加物チャンバ２０の充填の前に、この添加物チャンバ内の圧力は、低い、即ち雰囲気圧力ｐａｔｍよりも低い。充填中に、圧力バルブ３７に与えられる圧力ｐａは、添加物チャンバ２０内に存在する圧力よりもわずかに高く維持される。これにより、添加物チャンバ２０に所望量の添加物が充填され得ることが、確実である。更に、物品チャンバ９への漏れの危険性が、最小にされる。最後に、シール３８が、更なる圧力バルブ３７に装着される。このシールは、容器の不正開封防止と環境への漏れ防止とを確実にしている。
【００７８】
別の方法として、物品チャンバ９内の過度の圧力が、知られた瓶詰めラインを使用して、物品チャンバ９の充填時に与えられることができる。通常、液体窒素の液滴が、物品中にたらされ、すぐに密閉部材が装着される。この液滴は、ヘッドスペース中で蒸発し過度の圧力を形成する。物品チャンバは、窒素を供給することにより加圧されることができるが、過度の圧力は、過度の圧力が圧力バルブ２７を通して与えられたときほど正確に調整されることができない。
【００７９】
添加物が、混合された後に分離する２つ以上の液体組成物、例えば、異なる密度と化学的融和性(chemical compatibility)との少なくとも一方を有する組成物を有する場合、これら複数の組成物を添加物チャンバ内で一緒に保持することが、可能であり得る。しかし、これら複数の組成物が、互いの存在により品質の低下をもたらす場合、図８ａないし８ｃに示される添加物チャンバ４０が、使用されることができる。
【００８０】
図８ａないし８ｃに示されている添加物チャンバ４０は、分離壁４３により互いに分離された２つのスペース４１，４２を有するホルダーを備えている。各分離スペース４１，４２は、１種類の添加物組成物を収容するようになっている。ホルダーは、底壁４５と、この底壁４５から延びている周壁４６とを有している。底壁は、夫々の分離スペース４１，４２に添加物の組成物を供給するための２つの供給バルブを有している。上壁４９が、ホルダーを閉じている。
【００８１】
前記両分離スペース４１，４２は、上壁４９に装着された圧力バルブ４７により、物品チャンバに接続される。各圧力バルブ４７は、物品チャンバ内の圧力（ｐ１）が、添加物チャンバ４０の対応した分離スペース４１，４２内の圧力（ｐ２）よりも高いときに、閉成位置を有する。また、各圧力バルブ４７は、物品チャンバ内の圧力（ｐ１）が、添加物チャンバの対応した分離スペース４１，４２内の圧力（ｐ２）よりも低いときに、添加物を添加物チャンバ４０の対応した分離スペース４１，４１から物品チャンバ中へと吐出するための開成位置を有する。融和性のない複数の組成物を収容するための添加物チャンバは、異なる方法で構成され得ることは、明らかである。
【００８２】
図９は、異なる実施形態を示しており、添加物チャンバが、密閉部材１１中に装着されている。上述されたのと同じ又は類似の部品が、同じ参照符号により示されている。上述されたような配置、動作、並びに利点が、また、密閉部材中、この例ではねじキャップ中に添加物チャンバを有する容器に適用可能である。しかし、この実施形態では、吐出チューブが不要である。これは、添加物が、圧力バルブ２７に接触し、添加物チャンバ内のヘッドスペース２２が、重力の影響を受けて添加物上に位置されているためである。グラス、例えばビール瓶の壁部への添加物チャンバの装着は、困難であり得る。添加物チャンバが、密閉部材、例えば王冠状のキャップに装着されているとき、物品チャンバの材料は、もはや関係ない。
【００８３】
本発明は、図に示されている例示的な実施形態に特に限定されない。用語「物品」並びに「添加物」は、２つの組成物を単に示しているので、物品並びに添加物の各々は、１つ以上の成分と要素との少なくとも一方を有することができる。言い換えれば、物品と添加物との少なくとも一方は、１つの成分である必要はなく、複数の成分からなる組成物であることもできる。例えば、物品が、２つの位相の混合物を含むことと、添加物が、１つの活性成分と添加剤とを含むこととの少なくとも一方が、果たされる。物品並びに添加物の量は、変更可能であり、添加物チャンバ内の添加物の量は、物品の必要に応じたサイズと数量の範囲であり得る。
【００８４】
容器１は、様々な飲料又はドリンクに適している。本発明に係わる容器は、物品と添加物との多くの新たな組み合わせを可能にしている。物品チャンバ内の物品は、水、ビール、牛乳、並びに、他のいずれかの液体又はペーストを含むことができる。また、添加物チャンバは、ビタミン、カゼイン加水分解物のようなたんぱく質とペプチドとの少なくとも一方と、リコピンのようなカロテノイドと、ケルセチン(quercitin)のような抗酸化剤と、香味料(flavourants)と、これらの組み合わせとのうちの少なくとも1つを含むことが、特に効果的である。添加物は、また、非発泡性の他の要素を含むこともできる。
【００８５】
本発明に係わる容器は、飲料用に説明されたが、様々な他の物品を収容ことができる。本発明に係わる容器は、使用の時まで分離されたままである２つの成分を所望する各適用例にとって、効果的である。
【００８６】
例えば、本発明に係わる容器は、互いに異なる成分の混合を使用時に必要とする製薬の組成物、特に、医薬品を収容することができる。本発明に係わる容器は、これら異なる成分の正確な投薬をもたらし、人的な誤りは、投薬が自動的であるために、除かれる。更に、互いに異なる成分の混合は、十分に衛生的である。
【００８７】
更に、本発明に係わる容器は、化粧品の適用例に用いられることができる。化粧品産業は、使用時に２つ以上の成分の混合に頼るローション並びにスキンシステム(skin system)、例えば対をなしたパックのシステム(twin pack systems)用のパッケージを開発している。しかし、このようなパッケージは、比較的高価であり、自動的な混合を提供しない。本発明に係わる容器は、また、化粧品に適用可能である。
【００８８】
本発明に係わる容器の他の適用例がある。本発明に係わる容器のデザイン並びに材料は、特定の適用例により決定される。例えば、ねじキャップを有したジャーが、医療の適用例に効果的であり得る。このようなジャーは、プラスチック又はガラスで形成されることができる。
【図面の簡単な説明】
【００８９】
【図１】本発明に係わる容器の側方断面図を示しており、密閉部材が、物品チャンバを閉じている。
【図２】図１に係わる容器の側方断面図を示しており、密閉部材が除去されている。
【図３】図２の細部ＩＩＩを示している。
【図４】図１に係わる容器の下部の断面斜視図を示しており、この容器は空である。
【図５】図１に係わる容器の分解斜視図を示しており、この容器は空であり、密閉部材は省略されている。
【図６ａ】図１に係わる容器中に使用されるダックビルバルブの斜視図を示している。
【図６ｂ】図６ａに係わるダックビルバルブの第１の断面図を示している。
【図６ｃ】図６ａに係わるダックビルバルブの第２の断面図を示している。
【図７】容器のキャビティ中に装着された図６ａないし６ｃに係わるダックビルバルブの拡大断面図を示している。
【図８ａ】添加物組成物を収容するための２つの離間スペースを有する添加物チャンバの斜視図を示している。
【図８ｂ】添加物組成物を収容するための２つの離間スペースを有する添加物チャンバの斜視図を示している。
【図８ｃ】図８ａ，８ｂに係わる添加物チャンバの断面図を示している。
【図９】本発明に係わる容器の別の実施形態の断面図を示しており、添加物チャンバが、密閉部材中に装着されている。
【図１】
2009523104.tif 000003
【図２】
2009523104.tif 000004
【図３】
2009523104.tif 000005
【図４】
2009523104.tif 000006
【図５】
2009523104.tif 000007
【図６ａ】
2009523104.tif 000008
【図６ｂ】
2009523104.tif 000009
【図６ｃ】
2009523104.tif 000010
【図７】
2009523104.tif 000011
【図８ａ】
2009523104.tif 000012
【図８ｂ】
2009523104.tif 000013
【図８ｃ】
2009523104.tif 000014
【図９】
2009523104.tif 000015
【国際調査報告】
2009523104.tif 000016
2009523104.tif 000017
2009523104.tif 000018